(57)【要約】本発明は、電源プラグの動作時間の設定が可能であり、残余動作時間およびオン／オフ状態等を表示する表示部を具備したリモートコントローラーと、前記リモートコントローラーと無線交信して受信する動作時間の間に電源プラグがオン動作するようにし、自体計数時間が動作時間に到逹すれば、電源プラグをオフさせて電子製品を自動にオフさせる制御手段とを具備することにより、子供が楽しんで使用するコンピューター、ビデオゲーム機、ＴＶなどの作動時間を父母が遠隔制御するようにしたリモートコントローラー無線制御が可能な時間調節用電源制御装置に関するものである。
2007520899.tif 000002
【特許請求の範囲】
【請求項１】
電子製品の作動時間を設定するためのキーを備え、前記作動時間設定情報をプラグ２に連結された制御手段３に無線伝送するもので、制御手段３から伝送された電源制御情報を使用者に視覚または聴覚的に知らせるための表示部１２および信号音発生部１３を含むリモートコントローラー１と；
電子製品に電源を供給するためのプラグ２と；
前記リモートコントローラー１と無線データを交信する無線送信部３１および無線受信部３２と、登録されたリモートコントローラー１のコード情報とリモートコントローラー１から伝送された作動時間情報を記憶するメモリ３５と、一定の周期でクロック信号を発生するクロック発生部３６と、プラグ２に入力される交流電源を直流電源に変換して内部駆動電源として供給する直流電源部３８と、前記クロック発生部３６から発生したクロック信号で実時間計数し、その計数値が前記リモートコントローラー１から伝送されてメモリ３５に記憶された作動時間と一致する時、電源をオフさせるための制御信号を出力する第２ＭＰＵ４２と、前記第２ＭＰＵ４２からの制御信号によってトランジスタＱ１をオン／オフ制御する電源制御部４０と、前記電源制御部４０からの制御信号によってオン／オフされて、プラグ２の一側電源ラインに連結されるリレースイッチ４１をオフさせるトランジスタＱ１とから構成され、リモートコントローラー１から伝送された作動時間の間に電子製品が作動してから自動にオフされるようにする制御手段３と；から構成されることを特徴とする、リモートコントローラー無線制御が可能な時間調節用電源制御装置。
【請求項２】
前記制御手段３は、リレースイッチ４１の出力側に、電子製品動作による負荷を感知する負荷感知部３９をさらに備え、
前記第２ＭＰＵ４２は、負荷感知部３９で負荷が感知される時にだけ電子製品が動作していると見做し、クロック発生部３６から発生するクロック信号で作動時間を計数することを特徴とする、請求項１に記載のリモートコントローラー無線制御が可能な時間調節用電源制御装置。
【請求項３】
前記制御手段３は、プラグ２に入力される電源の異常変動を感知して第２ＭＰＵ４２で供給する低電圧感知部３７をさらに含み、前記第２ＭＰＵ４２は、低電圧感知部３７から電圧変動感知信号が入力される時、実際動作時間計数値をメモリ３５に記憶させてからリセットされ、その後、メモリ３５に記憶された作動時間計数値から連続して残余作動時間を計数することを特徴とする、請求項１に記載のリモートコントローラー無線制御が可能な時間調節用電源制御装置。
【請求項４】
前記制御手段３は、電源プラグ２の残余作動時間および電源オン／オフ状態情報をリモートコントローラー１に無線伝送して、使用者がリモートコントローラー１の表示部１２を通じて前記情報を確認するようにすることを特徴とする、請求項１に記載のリモートコントローラー無線制御が可能な時間調節用電源制御装置。
【請求項５】
前記制御手段３は、残余作動時間が一定時間以内で残った時、所定の警報信号をリモートコントローラー１に伝送することにより、リモートコントローラー１の信号音発生部１３を通じて警報音を出力させるようにすることを特徴とする、請求項１に記載のリモートコントローラー無線制御が可能な時間調節用電源制御装置。
【発明の詳細な説明】
【技術分野】
【０００１】
本発明はリモートコントローラー無線制御が可能な時間調節用電源制御装置に関するもので、特に、子供が楽しんで使用するコンピューター、ビデオゲーム機、ＴＶなどの作動時間を父母が遠隔制御することができるようにしたリモートコントローラー無線制御が可能な時間調節用電源制御装置に関する。
【背景技術】
【０００２】
近年、多くの青少年がコンピューターゲーム、ビデオゲーム機、ＴＶなどに多くの時間を消費して、相対的に学業が疎かになる問題点が発生している。
【０００３】
すなわち、従来の電子製品は、その電子製品に具備されている電源スイッチによってオン／オフ作動するものであるから、子供がコンピューター、ビデオゲーム機、ＴＶなどを使用する時間を父母が適切に調節することができないことが多く、子供の学業状態がおくれることになる。
【０００４】
さらに、家族が核家族化する一方、親の共稼ぎが増加するにしたがい、家で子供一人で長い時間を過ごさなければならないことが頻繁で、子供のコンピューター、ビデオゲーム機、ＴＶなどを使用する時間を父母が調節することができないだけでなく、親が家にいると言っても、子供が自分の部屋でコンピューターやビデオゲーム機を使用することをいちいち取り締まることは難しい。
【発明の開示】
【０００５】
したがって、本発明は前記問題点に鑑みてなされたもので、その目的は、電源プラグの動作時間設定が可能であり、残余動作時間およびオン／オフ状態などを表示する表示部を具備したリモートコントローラーと、前記リモートコントローラーと無線交信して受信した動作時間の間に電源プラグがオン動作するようにし、計数時間が動作時間に到達すれば、電源プラグをオフさせて電子製品が自動にオフされるようにする制御手段とを具備することにより、子供が楽しんで使用するコンピューター、ビデオゲーム機、ＴＶなどの作動時間を父母が遠隔制御することができるようにしたリモートコントローラー無線制御が可能な時間調節用電源制御装置を提供することである。
【発明を実施するための最良の形態】
【０００６】
図１〜図３は前記目的を達成するための本発明のリモートコントローラー無線制御が可能な時間調節用電源制御装置を示すもので、これら図に基づいて本発明の望ましい実施例を説明すると次のようになる。
【０００７】
前記目的達成のための本発明は、電子製品の作動時間設定のための多数の数字キー、特殊入力キーおよび登録キーで構成されるキー部１１と、制御手段３から伝送された電源プラグ２の残余作動時間および電子製品のオン／オフ動作状態などを画面に出力する表示部１２と、制御手段３から応答信号を受信する時、スピーカー１４を通じて確認音を出力する信号音発生部１３と、キー部１１の操作によって入力された作動時間情報および登録情報を無線伝送する無線送信部１５と、制御手段３から伝送された応答信号（残余作動時間及びオン／オフ状態）を受信して第１ＭＰＵ２０に供給する無線受信部１７と、前記無線送信部１５の駆動電源を制御する送信電源制御部１６と、前記無線受信部１７の駆動電源を制御する受信電源制御部１８と、リモートコントローラー１の駆動電源を供給する電源部１９と、前記キー部１１の操作によってリモートコントローラー１の固有登録情報および動作時間情報を無線送信部１５を通じて制御手段３に伝送し、それに対する応答信号が制御手段３から無線受信部１７を通じて受信されれば、その応答信号を表示部１２に出力するとともに信号音発生部１３を駆動させて確認音を出力させる第１ＭＰＵ２０とから構成されるリモートコントローラー１と；
電子製品に電源を供給するためのプラグ２と；
前記リモートコントローラー１と無線データを交信する無線送信部３１および無線受信部３２と、登録されたリモートコントローラー１のコード情報とリモートコントローラー１から伝送された作動時間情報を記憶するメモリ３５と、一定の周期でクロック信号を発生するクロック発生部３６と、プラグ２に入力される商用交流電源を直流化して内部駆動電源として供給する直流電源部３８と、前記クロック発生部３６から発生したクロック信号で実時間計数し、その計数値が前記リモートコントローラー１から伝送されてメモリ３５に記憶された作動時間と一致する時、電源をオフさせるための制御信号を出力する第２ＭＰＵ４２と、前記第２ＭＰＵ４２の制御信号によってトランジスタＱ１をオン／オフ制御する電源制御部４０と、前記電源制御部４０の制御信号によってオン／オフされて、プラグ２の一側電源ラインに連結されるリレースイッチ４１をオフさせるトランジスタＱ１とから構成され、リモートコントローラー１から伝送された作動時間の間に電子製品が作動してから自動にオフされるようにする制御手段３と；から構成されることを特徴とする。
【０００８】
そして、前記制御手段３は、リレースイッチ４１の出力側に電子製品動作による負荷を感知する負荷感知部３９をさらに備え、前記第２ＭＰＵ４２は、負荷感知部３９で負荷が感知される時にだけ電子製品が動作していると見做して、クロック発生部３６から発生するクロック信号で作動時間を計数することを特徴とする。
【０００９】
また、前記制御手段３は、プラグ２に入力される電源の異常変動を感知して第２ＭＰＵ４２に供給する低電圧感知部３７をさらに含み、前記第２ＭＰＵ４２は、低電圧感知部３７から電圧変動感知信号が入力される時、実際作動時間計数値をメモリ３５に記憶させてからリセットされ、その後、メモリ３５に記憶された作動時間計数値に基づいて連続して残余作動時間を計数することを特徴とする。
【００１０】
前記制御手段３は、電源プラグ２の残余作動時間、電源オン／オフ状態情報をリモートコントローラー１に無線伝送して、使用者がリモートコントローラー１の表示部１２を通じて前記情報を確認するようにしたことを特徴とする。
【００１１】
また、前記制御手段３は、残余作動時間が一定時間以内で残った時、所定の警報信号をリモートコントローラー１に伝送して、リモートコントローラー１の信号音発生部１３を通じて警報音が出力されるようにすることを特徴とする。
【００１２】
そして、前記未説明符号３３は無線送信部３１の駆動電源を制御する送信電源制御部、未説明符号３４は無線受信部３２の駆動電源を制御する受信電源制御部を示す。
【００１３】
一方、前記制御手段３は、家庭に具備された電話機のような端末装置５とも情報を交換するようにして、父母が遠隔地で端末装置５に接続した後、制御手段３を遠隔制御してプラグ２の作動時間を制御するようにする。
【００１４】
このように構成された本発明の動作を説明すれば次のようである。
【００１５】
まず、使用者は制御手段３が具備された電子製品のプラグ２を電源コンセントに接続させることで、第２ＭＰＵ４２に駆動電源が供給されるようにし、前記第２ＭＰＵ４２は、最初電源入力の時、一定時間の間に待機モードで存在し、この期間に使用者はリモートコントローラー１の固有コードを制御手段３に登録させる。
【００１６】
固有コードの登録は、使用者がリモートコントローラー１のキー部１１に具備された特定の登録キーを押すことによってなされ、使用者が登録キーを押せば、これを認識した第１ＭＰＵ２０がリモートコントローラー１の固有登録コードを無線送信部１５を通じて制御手段３に伝送し、制御手段３の第２ＭＰＵ４２はリモートコントローラー１から伝送された固有登録コードをメモリ３５に記憶し、以後に無線受信部２３に受信される信号は前記メモリ３５に記憶された登録コードと比較して一致するか否かを確認した後、有効信号として使用することになる。
【００１７】
一方、前記リモートコントローラー１から固有登録コードを受信した第２ＭＰＵ４２は、無線送信部３１を通じて応答信号をリモートコントローラー１に伝送し、リモートコントローラー１の第１ＭＰＵ２０は、制御手段３から応答信号を受信すれば、信号音発生部１３を駆動させることで、スピーカー１４を通じて所定の確認音が出力されるようにするとともにリモートコントローラー１の固有コードが制御手段３に登録されたことを知らせるメッセージを表示部１２に出力して使用者が確認するようにする。
【００１８】
前述したように、リモートコントローラー１の登録過程が完了すれば、使用者は、キー部１１に具備された数字キーを操作して電子製品の動作時間を入力してから特定キーを入力すれば、第１ＭＰＵ２０が前記設定された動作時間情報を無線送信部１５を通じて制御手段３に伝送する。
【００１９】
前記制御手段３の第２ＭＰＵ４２は、リモートコントローラー１から受信した動作時間情報をメモリ３５に記憶した後、クロック発生部３６から発生する同期クロック信号で実時間計数し、その計数値がメモリ３５に記憶されている設定動作時間と一致する時、電子製品の電源を遮断するための制御信号を電源制御部４０に出力し、前記電源制御部４０は、第２ＭＰＵ４２から出力される制御信号によってトランジスタＱ１をオフさせることで、プラグ２の一側電源ラインに連結されているリレースイッチ４１をオフさせることにより、電子製品に供給される電源を遮断するものである。
【００２０】
そして、前記制御手段３の第２ＭＰＵ４２は、計数された電子製品の残余動作時間が一定時間（例えば、５分）以内で残っている時、所定の警報信号をリモートコントローラー１に出力することになり、前記リモートコントローラー１の第１ＭＰＵ２０が受信した警報信号によって信号音発生部１３を駆動させて所定の警報音を出力させることにより、父母が電子製品の残余時間を確認して、子供が電子製品を終了させるようにする。
【００２１】
前記のような機能により、コンピューターのような電子製品の電源が急にオフされることによってコンピューターのプログラムが損傷することを予防することができ、前記制御手段３自体に警報音出力スピーカーを内装することにより、電子製品を使用する子供が直接警報音を聞いて電子製品をオフさせるようにすることもできる。
【００２２】
前記のような動作により、父母は、子供がコンピューター、ＴＶ、ビデオゲーム機などの使用時間を適切に調節して、学業に集中するとともに余暇時間を楽しむようにコントロールすることができる。
【００２３】
一方、本発明の負荷感知部３９は、電子製品の作動による負荷状態を感知し、その感知情報を第２ＭＰＵ４２に伝送し、前記第２ＭＰＵ４２は、負荷感知部３９によって電子製品が作動することが感知される時にだけ、クロック発生部３６で発生したクロック信号によって実時間計数して動作時間をカウントし、前記負荷感知部３９で電子製品の作動が感知されなければ、それ以上動作時間をカウントしないで中止する。
【００２４】
そして、プラグ２に入力される商用交流電源の異常変動が発生すれば、その電源の異常が低電圧制御部３７によって感知されて第２ＭＰＵ４２に供給され、前記第２ＭＰＵ４２は、入力電圧の低電圧状態を認識した後、実際動作時間データをメモリ３５に記憶させてからリセットされ、その後、第２ＭＰＵ４２は、メモリ３５に記憶されている残余動作時間から連続して残余作動時間をカウントして電源プラグ２の電源供給を制御することになる。
【００２５】
前記制御手段３に具備された第２ＭＰＵ４２は、動作時間のカウント時、その残余動作時間情報と電子製品の現在オン／オフ状態情報をリモートコントローラー１に伝送することで、使用者（父母）がリモートコントローラー１に具備されている表示部１２を通じて電子製品の動作オフ予定時間と現在の作動状態を肉眼で確認するようにする。
【００２６】
一方、本発明に具備された制御手段３は、家庭に具備されている電話機のような端末装置５と無線交信するように構成することができ、このような構成により、使用者が家庭の内部でなく外部で端末装置５に接続した後、その端末装置５を通じて制御手段３を遠隔制御して電子製品の動作時間を設定および変更するようにする。
【産業上の利用可能性】
【００２７】
以上説明したように、本発明は、電源プラグの動作時間設定が可能であり、残余動作時間およびオン／オフ状態などを表示する表示部を具備したリモートコントローラーと、前記リモートコントローラーと無線交信して受信した動作時間の間に電源プラグをオン動作させ、自体計数時間が動作時間に到逹すれば、電源プラグをオフさせて電子製品が自動にオフされるようにする制御手段とを具備することにより、子供が楽しんで使用するコンピューター、ビデオゲーム機、ＴＶなどの作動時間を父母が遠隔制御することができるようにしたリモートコントローラー無線制御が可能な時間調節用電源制御装置を提供する効果を期待することができる。
【図面の簡単な説明】
【００２８】
【図１】本発明のリモートコントローラー無線制御が可能な時間調節用電源プラグを示す図である。
【図２】本発明に適用されたリモートコントローラーの構成を示すブロック図である。
【図３】本発明に適用された制御手段の構成を示すブロック図である。
【図１】
2007520899.tif 000003
【図２】
2007520899.tif 000004
【図３】
2007520899.tif 000005
【国際調査報告】
2007520899.tif 000006
2007520899.tif 000007